(57)【特許請求の範囲】
【請求項１】
薬剤を収容可能な複数のポケット、及び突起状の複数の凸部が、表裏面の一方である第１面からそれぞれ突出された第１シートと、
上記第１シートにおける上記第１面と反対側の第２面に貼着されて、上記ポケットの開口を塞ぐ第２シートと、を備え、
上記第１面から上記凸部の突出端までの第１距離が、上記第１面から上記ポケットの突出端までの第２距離よりも長く、
当該薬剤包装用ＰＴＰシートは、平面視において長方形状を呈しており、
それぞれの上記ポケット及び上記凸部は、いずれの上記ポケット及び上記凸部とも上記長方形の長手方向又は短手方向の中央に沿った仮想直線において非対称であり、
一対の当該薬剤包装用ＰＴＰシートが、それぞれの上記第１面同士が近接し、かつそれぞれの上記第１シートの周縁を一致させて抱き合わせた状態において、対向する上記ポケット及び上記凸部同士が接触しない薬剤包装用ＰＴＰシート。
【請求項２】
上記凸部の突出端が上記第１面と平行な平面である請求項１に記載の薬剤包装用ＰＴＰシート。
【請求項３】
１つの上記ポケットの両外側に、一対の上記凸部が設けられている請求項１又は２に記載の薬剤包装用ＰＴＰシート。
【請求項４】
平面視において、
全ての上記ポケットは、第１の方向に沿って配置されており、
一対の上記凸部は、それぞれ上記第１の方向と直交する第２の方向に沿って配置されており、
当該薬剤包装用ＰＴＰシートを分割するための切断部は、それぞれ上記第２の方向に沿って設けられている請求項１から３のいずれかに記載の薬剤包装用ＰＴＰシート。
【請求項５】
薬剤を収容可能なポケット、及び突起状の凸部が、表裏面の一方である第１面からそれぞれ突出された第１シートと、
上記第１シートにおける上記第１面と反対側の第２面に貼着されて、上記ポケットの開口を塞ぐ第２シートと、を備え、
上記第１面から上記凸部の突出端までの第１距離が、上記第１面から上記ポケットの突出端までの第２距離よりも長く、
上記凸部の突出端は、中央部に凹状の窪みを有し、上記第１面と平行な円形状である薬剤包装用ＰＴＰシート。
【請求項６】
上記ポケットは複数が設けられており、
１つの上記ポケットの両外側に、一対の上記凸部が設けられている請求項４に記載の薬剤包装用ＰＴＰシート。
【請求項７】
上記第１シートは、上記第１面の少なくとも一部に、少なくとも鉛筆又はボールペンによって文字又は図柄を記入可能な記入領域を有する請求項１から６のいずれかに記載の薬剤包装用ＰＴＰシート。
【請求項８】
当該薬剤包装用ＰＴＰシートは、平面視において長方形状を呈しており、
上記凸部が上記第１シートに占める領域が、上記長方形の長手方向又は短手方向の中央に沿った仮想直線において対称に転写された領域は、上記記入領域と重複していない請求項７に記載の薬剤包装用ＰＴＰシート。
【発明の詳細な説明】
【技術分野】
【０００１】
本発明は、薬剤包装用ＰＴＰシートに関する。
【背景技術】
【０００２】
ＰＴＰ（Ｐｒｅｓｓ  Ｔｈｒｏｕｇｈ  Ｐａｃｋａｇｅ）包装は、医薬品包装の分野において、錠剤やカプセル剤等の固形薬剤の包装に広く用いられている。ＰＴＰ包装は、主として、薬剤を収容するポケットを樹脂フィルムに成型し、ポケットに薬剤を充填した後、アルミ箔からなるシート（以下、単にアルミ箔とする。）によってポケットを封止した包装体（シート）である。
【０００３】
ＰＴＰシートからの薬剤の取り出しは、以下のような手順によって行われる。患者が指先によってポケット越しに薬剤を押圧すると、ポケットが弾性変形し、薬剤がアルミ箔へ押圧される。薬剤によってアルミ箔が破られて、薬剤がポケットの外側へ取り出される。
【０００４】
薬剤の保存や輸送の際、あるいは患者によって薬剤が持ち運ばれる際、複数枚のＰＴＰシートは、互いに重ね合わされた状態とされることがある。その際、ＰＴＰシートは、ポケットが突出された側の面同士が近接した状態に重ね合わされることが多い。このような状態では、一方のＰＴＰシートのポケット間の空間に、他方のＰＴＰシートのポケットが入り込むため、複数のＰＴＰシートが重ねられた状態における厚みを薄く抑えることができる。同時に、外力によってポケットが直接押圧されてしまうことを防止することができる。以下、この状態が抱き合わせ状態とも称される。特許文献１には、ＰＴＰシートの抱き合わせ状態を高速に実現する装置及び方法が開示されている。
【先行技術文献】
【特許文献】
【０００５】
【特許文献１】特開２０１１−３７５２７号公報
【発明の概要】
【発明が解決しようとする課題】
【０００６】
ＰＴＰシートの抱き合わせ状態において、ポケットは対向するＰＴＰシートに対して接触した状態となっている。そのため、抱き合わせ状態とされたＰＴＰシートの積層体の両外側の面が互いに押圧されると、ポケットが対向するＰＴＰシートによって押圧されて変形したり、ポケット越しに押圧された薬剤によってアルミ箔が破かれてしまうことがある。あるいは、薬剤がカプセル剤などである場合、カプセル剤が押圧によって変形してしまうことがある。
【０００７】
たとえば、患者が薬剤を封止したＰＴＰシートを鞄などに入れて持ち歩く際、抱き合わせ状態とされたＰＴＰシートの積層体の両外側の面が他の物品によって押圧されることで、上記のような現象が発生することがある。
【０００８】
本発明は、上記事情に鑑みてなされたものであり、その目的は、抱き合わせ状態において、ポケットを外力による押圧から保護することができるＰＴＰシートを提供することにある。
【課題を解決するための手段】
【０００９】
(1)  本発明に係る薬剤包装用ＰＴＰシートは、薬剤を収容可能なポケット、及び突起状の凸部が、表裏面の一方である第１面からそれぞれ突出された第１シートと、上記第１シートにおける上記第１面と反対側の第２面に貼着されて、上記ポケットの開口を塞ぐ第２シートと、を備えている。上記第１面から上記凸部の突出端までの第１距離が、上記第１面から上記ポケットの突出端までの第２距離よりも長い。
【００１０】
このような構成の薬剤包装用ＰＴＰシートによると、抱き合わせ状態において、それぞれの凸部が、対向する薬剤包装用ＰＴＰシートの第１シートの第１面と当接する。凸部によって対向する薬剤包装用ＰＴＰシートが支えられるため、薬剤包装用ＰＴＰシートの間に一定の間隙が形成される。第１面から凸部の突出端までの第１距離が、第１面からポケットの突出端までの第２距離よりも長いため、ポケットは、対向する薬剤包装用ＰＴＰシートと当接しない状態に維持される。
【００１１】
抱き合わせ状態において、抱き合わせ状態とされたＰＴＰシートの積層体の両外側の面が互いに押圧されると、両外側の面が押圧された場合、その押圧力は、凸部が吸収することになる。したがって、対向する薬剤包装用ＰＴＰシートによって、ポケットが押圧されることが防止される。
【００１２】
(2)  上記凸部の突出端が上記第１面と平行な平面であってもよい。
【００１３】
凸部の突出端が平面であることにより、凸部は、対向する薬剤包装用ＰＴＰシートを安定して支えることができる。
【００１４】
(3)  上記凸部の突出端は、中央部に凹状の窪みを有し、上記第１面と平行な円形状であってもよい。
【００１５】
凸部の突出端に窪みが形成されることで、凸部は、対向する薬剤包装用ＰＴＰシートをさらに安定して支えることができる。また、凸部の突出端に窪みが形成されることで、患者が薬剤を服用する際、薬剤が収納されているポケットと凸部との識別を可能とし、より利便性を向上させることができる。
【００１６】
(4)  上記ポケットは複数が設けられており、１つの上記ポケットの両外側に、一対の上記凸部が設けられていてもよい。
【００１７】
ポケットごとに一対の凸部が設けられることにより、薬剤包装用ＰＴＰシートの間の間隙を、ポケットの周辺において確実に維持することができる。
【００１８】
(5)  当該薬剤包装用ＰＴＰシートは、平面視において長方形状を呈していてもよい。それぞれの上記ポケット及び上記凸部は、いずれの上記ポケット及び上記凸部とも上記長方形の長手方向又は短手方向の中央に沿った仮想直線において非対称であってもよい。
【００１９】
このようなポケット及び凸部の配置によると、周縁を一致させた状態で薬剤包装用ＰＴＰシートを抱き合わせ状態としても、対向するポケット及び凸部同士が接触することがない。シート周縁を一致させた状態で薬剤包装用ＰＴＰシートを抱き合わせ状態とすることができるため、抱き合わせ状態が安定し、同時に省スペースに貢献することができる。
【００２０】
なお、本発明における長方形状とは、角の周辺部が曲線状のものを含む。つまり、四隅がＲ加工された薬剤包装用ＰＴＰシートも本発明の技術的範囲に属するものである。また、当該長方形が正方形である場合、直交する２辺に沿った方向のうち、どちらが短手方向又は長手方向と解釈されてもよい。
【００２１】
また、本発明において、２つのポケット又は凸部が「非対称」であるとは、一方のポケット又は凸部を対称な位置に転写したと仮定して、転写後の当該ポケット又は凸部が占める領域と、他方のポケット又は凸部が占める領域とが、少なくとも重複しない程度に離れていることである。
【００２２】
(6)  平面視において、全ての上記ポケットは、第１の方向に沿って配置されており、  一対の上記凸部は、それぞれ上記第１の方向と直交する第２の方向に沿って配置されており、当該薬剤包装用ＰＴＰシートを分割するための切断部は、それぞれ上記第２の方向に沿って設けられていてもよい。
【００２３】
(7)  上記第１シートは、上記第１面の少なくとも一部に、少なくとも鉛筆又はボールペンによって文字又は図柄を記入可能な記入領域を有していてもよい。
【００２４】
記入領域には、薬剤師が、薬剤の用法に関する患者個別の情報（たとえば、服用の時期）を記入することができる。抱き合わせ状態において、記入領域が対向する薬剤包装用ＰＴＰシートと接触しないため、記入領域に記載された文字や図柄がかすれたり、滲んだりすることが回避される。
【００２５】
(8)  それぞれの上記凸部が上記第１シートに占める領域が、上記長方形の長手方向又は短手方向の中央に沿った仮想直線において対称に転写された領域は、上記記入領域と重複していない。
【００２６】
本構成では、抱き合わせ状態において、凸部と当接する位置に記入領域が設けられていないため、記入領域に記載された文字や図柄がかすれたり、滲んだりする可能性は更に低減される。
【発明の効果】
【００２７】
本発明に係る薬剤包装用ＰＴＰシートによると、抱き合わせ状態において、ポケットを外力による押圧から保護することができる。
【図面の簡単な説明】
【００２８】
【図１】図１は、セル１２単位に分割されたＰＴＰシート１０の外観斜視図である。（Ａ）は、薬剤１１が収容されていない状態を示し、（Ｂ）は、薬剤１１が収容された状態を示している。
【図２】図２は、２つのセル１２が結合されたＰＴＰシート１０の外観斜視図である。
【図３】図３は、セル１２単位に分割されたＰＴＰシート１０を第三角法により示す図である。
【図４】図４は、２枚のＰＴＰシート１０Ｌ，１０Ｈが抱き合わせ状態とされた状態を示す図である。（Ａ）は、平面図である。（Ｂ）は、（Ａ）のＢ−Ｂ切断線における断面図である。
【図５】図５は、ＰＴＰシート１０の変形例１に係る凸部１８を示す図である。（Ａ）は、平面図である。（Ｂ）は、（Ａ）のＢ−Ｂ切断線における断面図である。
【図６】図６は、抱き合わせ状態におけるポケット１６Ｌ，１６Ｈ及び凸部１８Ｌ，１８Ｈの異なる配置を示す平面図である。（Ａ）は、本発明の実施形態の変形例２，（Ｂ）は、変形例３に係るものである。
【図７】図７は、ポケット１６Ｌ，１６Ｈ及び凸部１８Ｌ，１８Ｈの異なる配置を示す平面図である。（Ａ）は、抱き合わされていないＰＴＰシート１０を示す。（Ｂ）は、ＰＴＰシート１０Ｈが前後方向６において反転するように裏返されてＰＴＰシート１０Ｌと抱き合わされた状態を示す。（Ｃ）は、ＰＴＰシート１０Ｈが左右方向７において反転するように裏返されてＰＴＰシート１０Ｌと抱き合わせされた状態を示す。
【発明を実施するための形態】
【００２９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。なお、以下の説明において、上下を基準として上下方向５が定義され、上下方向５と垂直な方向に前後方向６が定義され、上下方向５及び前後方向６とそれぞれ垂直な方向に左右方向７が定義されている。ここで、前後方向６が本発明の第１の方向の一例であり、左右方向７が本発明の第２の方向の一例である。
【００３０】
［ＰＴＰシート１０の概略構成］
図１（Ａ），（Ｂ）に示されるように、ＰＴＰシート１０は、平面視において長方形状のシートである。図１（Ｂ）に示されるように、ＰＴＰシート１０は、内側に錠剤やカプセル剤（以下、これらをまとめて薬剤１１とする。）が封止された状態で実施される。また、図２の例においては、１つの薬剤１１を封止する区分であるセル１２（本発明の一区分の一例）が前後方向６に２つ並べられて、ＰＴＰシート１０が構成されている。つまり、図２のＰＴＰシート１０には、計２つの薬剤１１が封止されている。
【００３１】
セル１２の境界には、スリット１３（本発明の切断部の一例）が形成されている。ＰＴＰシート１０は、薬剤師や患者の手によって、スリット１３に沿って折り曲げられたり、あるいは、切り離されて、単一のセル１２まで分割されることができる。セル１２の前後方向６の寸法は４〜１２ｃｍであり、好ましくは５〜６ｃｍである。本実施形態においては、５．５ｃｍの例が示される。また、左右方向７の寸法は、４〜７ｃｍであり、好ましくは５．５〜６．５ｃｍである。本実施形態においては、５．８ｃｍの例が示される。なお、以下の説明において、分割されていない複数のセル１２の集合、及び分割された後の単一のセル１２が、それぞれＰＴＰシート１０と称される。
【００３２】
ＰＴＰシート１０は、ポリプロピレンにより成型された第１シート１４とアルミニウムフィルムである第２シート１５とが貼着されたものである。第１シート１４に形成されたポケット１６に、薬剤１１が収容されている。ポケット１６の開口は第２シート１５によって閉塞されている。患者の指先によって第１シート１４のポケット１６が押圧されると、ポケット１６が弾性変形して、薬剤１１を第２シート１５側へ押圧する。薬剤１１が第２シート１５を押し破ることで、薬剤１１が開口を通じてポケット１６から取り出される。
【００３３】
ＰＴＰシート１０は、保存や輸送の際、または患者によって持ち運ばれる際、第１シート１４同士が対向する状態に重ね合わされて、抱き合わせ状態とされる。抱き合わせ状態とは、一方のＰＴＰシート１０のポケット１６間の空間に、他方のＰＴＰシート１０のポケット１６が入り込んで、ポケット１６が互い違いに配置された状態である。第１シート１４のポケット１６と同じ側の面から凸部１８が突出されている。本実施形態に係るＰＴＰシート１０は、抱き合わせ状態において、凸部１８が他方のＰＴＰシート１０を支えることで、ポケット１６が、対向する側のＰＴＰシート１０と接触しない状態に維持されるものである。
【００３４】
以下、ＰＴＰシート１０の各構成部材がより詳細に説明される。以下の説明において、各シートの上面及び下面という表現が用いられることがあるが、これらは図１，２におけるＰＴＰシート１０の向きを基準としたものである。また、第１シート１４の上面（ポケット１６が突出された側の面）が本発明の第１面に、下面（第２シート１５と貼着された側の面）が本発明の第２面にそれぞれ相当する。
【００３５】
［第１シート１４］
図１〜図３に示される第１シート１４は、熱可塑性樹脂であるポリプロピレン（ＰＰ）によって真空成型されたシートである。第１シート１４は、一定の透光性を有している。これにより、患者は、第１シート１４を透過して、後述される第２シート１５に記載された文字や図柄を視認することができる。
【００３６】
ただし、第１シート１４には、第２シート１５に記載された文字や図柄を視認可能な程度の透光性を有しており、且つ、指先の押圧によって弾性変形可能なものであれば、他の樹脂が用いられてもよい。たとえば、第１シート１４には、ポリ塩化ビニル（ＰＶＣ）、ポリエチレンテレフタレート（ＰＥＴ）、又は環状ポリオレフィンが使用されてもよい。あるいは、樹脂の層が異なる薄膜によってコーティングされて、第１シート１４が構成されていてもよい。あるいは２種類以上の樹脂の層がラミネートされて、第１シート１４が構成されていてもよい。
【００３７】
図２に示されるように、第１シート１４は、セル１２単位に分割されていない状態において、長方形状を呈している。ただし、各セル１２の４隅に相当する部分が、曲線状にカットされている。これは、患者がセル１２の角によって手を傷つけることを防止するためである。
【００３８】
図２において、セル１２の境界にはスリット１３が形成されている。スリット１３は、第１シート１４の上面に形成された概ねＶ字状の溝である、スリット１３の深さは、第１シート１４の厚みの半分よりもやや深い。あるいは、スリット１３は、微小な孔が周期的に形成されたミシン目であってもよい。あるいは、溝とミシン目とが重畳されて設けられたものがスリット１３であってもよい。ＰＴＰシート１０の製造段階において、ローラ状の刃が、第１シート１４の上面を押圧した状態で相対的に移動する。こうして、第１シート１４にスリット１３が形成される。
【００３９】
分割された後のセル１２は、平面視において長方形状を呈している。セル１２の前後方向６の寸法が５．５ｃｍであり、左右方向７の寸法が５．８ｃｍである。これは患者が誤飲することを防止することができる大きさである。ただし、各セル１２の寸法は、これに限られるものではない。たとえば、セル１２は、前後方向６の寸法と左右方向７の寸法とが互いに等しく、平面視において正方形状を呈していてもよい。あるいは、セル１２は、左右方向７の寸法よりも前後方向６の寸法が大きいものであってもよい。
【００４０】
第１シート１４のうち、各セル１２に１つずつ、ポケット１６が設けられている。ポケット１６は、各セル１２において、前後方向６の中央よりもやや後方、且つ左右方向７の中央よりもやや右側に設けられている。
【００４１】
ポケット１６は、第１シート１４が上方へ突出するようにドーム状に成型されたものである。つまり、ポケット１６において、第１シート１４の上面が上方へ突出され、下面が上方へ陥没されている。この陥没された部分に、薬剤１１が収容される内部空間が形成されている。この内部空間と外部空間とを連続する開口が、第１シート１４の下面側に開かれている。ポケット１６の寸法は、薬剤１１を完全に収容可能なものであり、薬剤１１の大きさによって適宜変更される。
【００４２】
第１シート１４のうち、各セル１２に２つずつ、凸部１８が設けられている。２つの凸部１８は、各セル１２において、ポケット１６よりも僅かに前方に設けられている。そして、２つの凸部１８は、ポケット１６よりも左右方向７の両外側に離間されて、一対を為している。
【００４３】
凸部１８は、ポケット１６と同様に第１シート１４がドーム状に成型されたものである。一方、ポケット１６との相違点として、凸部１８が形成する内部空間には、薬剤１１が収容されていない。凸部１８の突出端は、平面視において円形であって中央部が僅かに上方に膨らんだ形状に成型されている。図４（Ｂ）に示されるように、凸部１８は、ＰＴＰシート１０の抱き合わせ状態において、対向する側のＰＴＰシート１０を支えるものである。抱き合わせ状態の詳細は後述する。なお、図４，６，７においては、抱き合わせ状態における２枚のＰＴＰシート１０を区別するため、下側のＰＴＰシート１０に関連する参照符号の最後尾に「Ｌ」、上側のＰＴＰシート１０に関連する参照符号の最後尾に「Ｈ」が付与されている。
【００４４】
第１シート１４の上面から凸部１８の突出端までの距離Ｌ１（図４（Ｂ）、本発明の第１距離の一例）は、第１シート１４の上面からポケット１６の突出端までの距離Ｌ２（図４（Ｂ）、本発明の第２距離の一例）よりも長く取られている。距離Ｌ２は、封止された薬剤１１のサイズに応じて適宜変更されるため、距離Ｌ１も距離Ｌ２に応じて適宜変更される。薬剤１１が一般的な錠剤の場合、距離Ｌ２は５〜８ｍｍであり、距離Ｌ１は距離Ｌ２よりも１〜３ｍｍ長い。本実施形態においては距離Ｌ１が７ｍｍ、距離Ｌ２が５ｍｍである。
【００４５】
図１〜図３に示されるように、凸部１８よりも更に前方には、シール２０が貼着されている。シール２０は、帯状にカットされた紙シートである。シール２０の表裏面の一方に粘着剤が塗布されている。シール２０は、この粘着剤によって、左右方向７を長手方向として第１シート１４の上面に貼着されている。シール２０の表裏面のうち、粘着剤が塗布されていない側の面が上方に露出されている。この面には、薬剤師が、鉛筆やボールペンなどの筆記具によって、薬剤１１に関する情報を記入することができる。第１シート１４の上面のうち、シール２０が貼着された領域が、本発明の記入領域の一例である。
【００４６】
図２に示される分割前のＰＴＰシート１０において、全てのポケット１６及び凸部１８は、前後方向６におけるＰＴＰシート１０の中央に沿った仮想直線Ｖ１において非対称に配置されている。つまり、それぞれのポケット１６及び凸部１８と仮想直線Ｖ１において対称な位置には、いずれのポケット１６も凸部１８も設けられていない。また、シール２０は、凸部１８と仮想直線Ｖ１おいて非対称な位置に配置されている。つまり、凸部１８と前後方向６において対称な位置には、シール２０が設けられていない。同様に、個々のセル１２において、全てのポケット１６及び凸部１８は、前後方向６におけるセル１２の中央に沿った仮想直線Ｖ２において非対称に配置されている。また、シール２０は、凸部１８と仮想直線Ｖ２おいて非対称な位置に配置されている。理由は後述する。ここで後述する仮想直線Ｖ３も含めた仮想直線Ｖ１〜Ｖ３が、本発明の仮想直線の一例である。
【００４７】
［第２シート１５］
第２シート１５は、ポケット１６に薬剤１１が収容された状態において、第１シート１４の下面側に貼着されたアルミニウムフィルムである。第２シート１５によって、ポケット１６の開口は閉ざされ、薬剤１１はポケット１６の内側に封止されている。
【００４８】
第２シート１５の厚みは、患者がポケット１６越しに薬剤１１を押圧した際、薬剤１１からの押圧力によって破かれる程度の厚みにされている。本実施形態においては。第２シート１５の厚みは２０μｍである。ただし、第２シート１５の厚みは、薬剤１１の硬さ、たとえば、薬剤１１が錠剤であるか又はカプセル剤であるかに応じて適宜変更されてもよい。また、第２シート１５の材料も上記の要件を満たすものであれば、アルミニウム以外のものが用いられてもよい。たとえば、第２シート１５は、アルミニウム以外の金属であってもよく、アルミニウムと他の金属の合金であってもよい。また、ポケット１６の気密性を確保できるものであれば、第２シート１５に他の化学材料が用いられてもよい。
【００４９】
ポケット１６に薬剤１１が収容された状態において、第１シート１４と第２シート１５とは、加熱状態おいて圧着される。その際、熱によって半溶解された第１シート１４の下面が凝固することで、第１シート１４と第２シート１５とが溶着される。
【００５０】
図には示されないが、第２シート１５の上面及び下面には、それぞれ、薬剤師や患者が視認可能な文字や図柄が記載されている。第２シート１５の上面に記載された文字や図柄は、第１シート１４を透過して、第１シート１４の上面から視認可能である。
【００５１】
［ＰＴＰシート１０の抱き合わせ］
以下、ＰＴＰシート１０の抱き合わせ状態が図４（Ａ），（Ｂ）を参照しながら説明される。２枚のＰＴＰシート１０Ｌ，１０Ｈは、第１シート１４Ｌ，１４Ｈ同士が対向する状態に重ね合わされている。そして、２枚のＰＴＰシート１０Ｌ，１０Ｈにおいて、図２に示された前端２１と後端２２とが、前後方向６において互いに一致されている。つまり、ＰＴＰシート１０Ｌは、図２の状態にあり、ＰＴＰシート１０Ｈは、図２の状態から前後方向６が反転するように裏返されている。そして、ＰＴＰシート１０Ｌの上にＰＴＰシート１０Ｈが被せられている。
【００５２】
上述したように、各ＰＴＰシート１０において、ポケット１６及び凸部１８は、仮想直線Ｖ１，Ｖ２において非対称に配置されている。そのため、抱き合わせ状態において、対向するポケット１６Ｌ，１６Ｈ及び凸部１８Ｌ，１８Ｈがいずれも接触しない位置関係にある。
【００５３】
図４（Ａ）において、ポケット１６Ｈに対して、左右方向７の両外側に凸部１８Ｌがそれぞれ配置されている。また、ポケット１６Ｌに対して、左右方向７の両外側に凸部１８Ｈがそれぞれ配置されている。凸部１８Ｌ，１８Ｈは、対向するＰＴＰシート１０Ｌ，１０Ｈの第１シート１４Ｌ，１４Ｈとそれぞれ当接し、支えている。これにより第１シート１４Ｌ，１４Ｈ間に距離Ｌ１（図４（Ｂ））の間隙が維持されている。距離Ｌ２は距離Ｌ１よりも短いため、ポケット１６Ｌ，１６Ｈは、この間隙により、対向するＰＴＰシート１０Ｌ，１０Ｈと接触しない状態に維持されている。ポケット１６Ｌ，１６Ｈは、左右方向７における凸部１８Ｌ，１８Ｈの内側にそれぞれ配置されているため、ＰＴＰシート１０Ｌ，１０Ｈが撓んだ場合にも、ポケット１６Ｌ，１６Ｈの周辺ではこの間隙が維持されやすい。
【００５４】
また、抱き合わせ状態において、２枚のＰＴＰシート１０Ｌ，１０Ｈが左右方向７又は前後方向６に相対的にずらされた場合、ポケット１６Ｌ，１６Ｈ又は凸部１８Ｌ，１８Ｈが互いに接触して、移動が阻止される。以下、詳細に説明する。ＰＴＰシート１０Ｈが１０Ｌに対して後方へ僅かにずらされた場合、ポケット１６Ｌ，１６Ｈが互いに接触することでそれ以上の移動が阻止される。ＰＴＰシート１０Ｈが１０Ｌに対して前方へ僅かにずらされた場合、凸部１８Ｌ，１８Ｈが互いに接触することでそれ以上の移動が阻止される。ＰＴＰシート１０Ｈが１０Ｌに対して左側へ僅かにずらされた場合、ポケット１６Ｌが右側の凸部１８Ｈに接触することでそれ以上の移動が阻止される。ＰＴＰシート１０Ｈが１０Ｌに対して右側へ僅かにずらされた場合、ポケット１６Ｈが右側の凸部１８Ｌに接触することでそれ以上の移動が阻止される。つまり、２枚のＰＴＰシート１０Ｌ，１０Ｈが左右方向７及び前後方向６に相対的にずれることができる範囲は狭い範囲に限定される。
【００５５】
上述したように、各ＰＴＰシート１０において、シール２０は、凸部１８と仮想直線Ｖ１，Ｖ２において非対称な位置に配置されている。そのため、抱き合わせ状態において、凸部１８Ｌ，１８Ｈの突出端は、シール２０Ｌ，２０Ｈと異なる位置において、ＰＴＰシート１０Ｌ，１０Ｈと当接することになる。
【００５６】
なお、図２に示される分割前のＰＴＰシート１０において、スリット１３を折り曲げ線として後方側のセル１２を向き１９に折り曲げることもできる。折り曲げられた状態において、前方のセル１２と後方のセル１２とによって、上述した抱き合わせ状態と同様の状態が実現される。折り曲げられたＰＴＰシート１０は、抱き合わせ状態と同様に、ポケット１６が対向するセル１２と接触しない状態に維持される。
【００５７】
［実施形態の作用効果］
本実施形態に係るＰＴＰシート１０は、抱き合わせ状態において、ポケット１６が対向するＰＴＰシート１０と接触しない状態に維持されるため、ポケット１６を外力による押圧から保護することができる。
【００５８】
また、抱き合わせ状態において、ポケット１６に対して左右方向７の両外側に凸部１８が配置される。そのため、ポケット１６の周辺において、第１シート１４間の間隙が維持されやすくなる。つまり、ＰＴＰシート１０が撓んだ場合においても、ポケット１６が対向するＰＴＰシート１０と接触する可能性が低減される。
【００５９】
また、ポケット１６及び凸部１８が、仮想直線Ｖ１，Ｖ２において非対称に配置されているため、２枚のＰＴＰシート１０の前端２１と後端２２とが一致するように、ＰＴＰシート１０を抱き合わせ状態とした場合、対向するポケット１６及び凸部１８が互いに接触しない。つまり、２枚のＰＴＰシート１０を前後方向６に互いにずらすことなく抱き合わせ状態とすることができる。これにより、抱き合わせ状態が安定し、同時に省スペースにも貢献することができる。
【００６０】
また、抱き合わせ状態において、凸部１８が対向するＰＴＰシート１０を支えるため、シール２０が対向する第１面１４と接触しない状態に維持される。さらに、シール２０は、凸部１８と仮想直線Ｖ１，Ｖ２において非対称な位置に配置されているため、凸部１８の突出端は、シール２０と異なる位置において、対向するＰＴＰシート１０と当接する。したがって、シール２０が対向する凸部１８と接触することもない。したがって、シール２０に記載された文字や図柄がかすんだり滲んだりすることが防止される。
【００６１】
また、抱き合わせ状態のＰＴＰシート１０が左右方向７及び前後方向６に相対的にずれることができる範囲が限られているため、抱き合わせ状態がさらに安定する。特に、抱き合わせ状態のＰＴＰシート１０が複数対積層された場合においても崩れにくくなる。
【００６２】
また、スリット１３を折り曲げ線としてＰＴＰシート１０を折り曲げることができるため、患者による持ち運びが容易となる。また、折り曲げられた状態においても、ポケット１６が対向するセル１２と接触しない状態に維持されるため、ポケット１６を外力による押圧から保護することができる。
【００６３】
［変形例１］
上述した実施形態において、凸部１８の突出端は、平面視において円形であって中央部が僅かに上方に膨らんだ形状に成型されていた。一方、凸部１８の突出端は、対向する第１シート１４と当接する面積を広くするために、第１シート１４の上面と平行な平面状に成型されていてもよい。あるいは、凸部１８の突出端は、図５（Ａ），（Ｂ）に示されるように、円の中央に窪み２３（本発明の窪みの一例）を有するリング形状であってもよい。凸部１８は、このリングに沿って対向するＰＴＰシート１０の第１シート１４と当接する。このような突出端の形状においては、凸部１８が対向するＰＴＰシート１０を支える力は、窪み２３の周縁部であるリング部分が受けることになる。窪み２３の周縁部は、中央部よりも押圧力によって弾性変形しにくいため、ＰＴＰシート１０を安定して支えることができる。また、凸部１８の突出端に窪み２３が形成されることで、患者が薬剤１１を服用する際、薬剤１１が収納されているポケット１６と凸部１８との識別を可能とし、より利便性を向上させることができる。
【００６４】
［変形例２］
上述した実施形態におけるポケット１６及び凸部１８の配置は一例であり、当業者によって適宜変更されてもよい。図６（Ａ）では、ＰＴＰシート１０Ｌの凸部１８Ｌが、セル１２Ｌの対向する２隅にそれぞれ配置されている。凸部１８Ｌの間に、ＰＴＰシート１０Ｈのポケット１６Ｈが配置されている。同様に、ＰＴＰシート１０Ｈの凸部１８Ｈが、セル１２Ｈの対向する２隅にそれぞれ配置されている。凸部１８Ｈの間に、ＰＴＰシート１０Ｌのポケット１６Ｌが配置されている。このような配置によると、抱き合わせ状態とされたＰＴＰシート１０Ｌ，１０Ｈの４隅においてＰＴＰシート１０Ｌ，１０Ｈ間の間隙が維持される。そして、その対角線上にポケット１６Ｌ，１６Ｈがそれぞれ配置される。
【００６５】
［変形例３］
図６（Ｂ）では、ＰＴＰシート１０Ｌ，１０Ｈがそれぞれ１つの凸部１８Ｌ，１８Ｈのみを有している。ＰＴＰシート１０Ｌ，１０Ｈの抱き合わせ状態において、前後方向６に沿って凸部１８Ｌ，１８Ｈが配置されている。凸部１８Ｌ，１８Ｈの間に、ポケット１６Ｌ，１６Ｈがそれぞれ配置されている。つまり、凸部１８Ｌ，１８Ｈ及びポケット１６Ｌ，１６Ｈが一直線上に配置されている。このような配置によると、凸部１８Ｌ，１８Ｈにより、前後方向６に沿ってＰＴＰシート１０Ｌ，１０Ｈ間の間隙が維持される。そして、凸部１８Ｌ，１８Ｈの間にポケット１６Ｌ，１６Ｈがそれぞれ配置される。
【００６６】
［変形例４］
また、各セル１２におけるポケット１６及び凸部１８は、図７（Ａ）に示されるように配置されてもよい。上述した実施形態は、ポケット１６及び凸部１８が、仮想直線Ｖ１，Ｖ２において非対称に配置されたものであった。本変形例においては、ポケット１６及び凸部１８が、左右方向７におけるＰＴＰシート１０の中央に沿った仮想直線Ｖ３においても非対称に配置されている。つまり、ポケット１６及び凸部１８が、図７（Ａ）の仮想直線Ｖ１〜Ｖ３において共に非対称に配置されている。
【００６７】
このようなポケット１６及び凸部１８の配置によると、図７（Ｂ）に示されるように、２枚のＰＴＰシート１０Ｌ，１０Ｈは、前端２１（図２）と後端２２（図２）とが一致するように抱き合わせ状態とされることができる。さらに、図７（Ｃ）に示されるように、２枚のＰＴＰシート１０Ｌ，１０Ｈは、前端２１同士及び後端２２同士が一致するように抱き合わせ状態とされることもできる。
【００６８】
図７（Ｂ）において、ＰＴＰシート１０Ｌは、図２の状態にあり、ＰＴＰシート１０Ｈは、図２の状態から前後方向６が反転するように裏返されている。そして、ＰＴＰシート１０Ｌの上にＰＴＰシート１０Ｈが被せられている。この状態は上述した実施形態と同様のものである。一方、図７（Ｃ）において、ＰＴＰシート１０Ｌは、図２の状態にあり、ＰＴＰシート１０Ｈは、図２の状態から左右方向７が反転するように裏返されている。そして、ＰＴＰシート１０Ｌの上にＰＴＰシート１０Ｈが被せられている。
【００６９】
このように、本変形例においては、シートの外縁が前後方向６及び左右方向７において重なるようにＰＴＰシート１０Ｌ，１０Ｈが抱き合わせ状態とされるとき、両者が前後方向６に反転している場合（図７（Ｂ））においても、左右方向７に反転している場合（図７（Ｃ））においても、対向するポケット１６Ｌ，１６Ｈ及び凸部１８Ｌ，１８Ｈが互いに接触することがない。
【００７０】
図７（Ｂ）においては、前後方向６に離間された凸部１８Ｌ，１８Ｈの間にポケット１６Ｌ，１６Ｈが配置されており、図７（Ｃ）においては、左右方向７に離間された凸部１８Ｌ，１８Ｈの間にポケット１６Ｌ，１６Ｈが配置されている。つまり、いずれの場合においても、ポケット１６Ｌ，１６Ｈの両外側に凸部１８Ｌ，１８Ｈが配置されるため、ポケット１６Ｌ，１６Ｈの周辺において、ＰＴＰシート１０Ｌ，１０Ｈ間の間隙が維持されやすくなり、ポケット１６Ｌ，１６Ｈが対向するＰＴＰシート１０Ｌ，１０Ｈと接触する可能性は低減される。
【００７１】
［その他の変形例］
上述したものの他にも、セル１２ごとの凸部１８の数や配置は、本発明の技術的範囲において適宜変更されてもよい。また、ポケット１１や凸部１８の形状についても同様に、適宜変更されてもよい。また、凸部１８突出端は、平面視において円形である必要はなく、たとえば矩形であってもよい。
【００７２】
また、上述した実施形態において、図２に示されるＰＴＰシート１０は、前後方向６に沿って２つのセル１２が配置されたものであったが、３つ以上のセル１２が配置されてもよい。あるいは、左右方向７に沿って複数のセル１２が配置されてもよいし、前後方向６及び左右方向７に沿ってそれぞれ複数のセル１２が配置されてもよい。
【００７３】
また、本発明の記入領域は、上述した実施形態とは異なる方法によって実現されてもよい。たとえば、第１シート１４の上面が他の化学物質によってコーティングされて、本発明の記入領域が形成されてもよいし、第１シート１４が、サンドブラスト加工やエンボス加工されることで本発明の記入領域が形成されてもよい。
【００７４】
また、第１シート１４の上面からは、抱き合わせ状態において対向する凸部１８の周面と当接するリブなどが突出されていてもよい。これにより、第１シート１４の前後方向６及び左右方向７への相対移動が制止されてもよい。
【符号の説明】
【００７５】
１０・・・ＰＴＰシート
１１・・・薬剤
１２・・・セル（一区分）
１３・・・スリット（切断部）
１４・・・第１シート
１５・・・第２シート
１６・・・ポケット
１７・・・記入領域
１８・・・凸部
２０・・・シール（記入領域）
２３・・・窪み
Ｌ１・・・距離（第１距離）
Ｌ２・・・距離（第２距離）
【図１】
0005915134.tif 000002
【図２】
0005915134.tif 000003
【図３】
0005915134.tif 000004
【図４】
0005915134.tif 000005
【図５】
0005915134.tif 000006
【図６】
0005915134.tif 000007
【図７】
0005915134.tif 000008